(57)【特許請求の範囲】
【請求項１】
筐体面に形成された開口に設けられ、配線を挟み込んで保持するクランプ部と、
前記クランプ部が開かれる際に当該クランプ部の根元部分における弾性限界内で当該クランプ部が接触する位置に配置されたストッパ部と
を備え、
前記クランプ部は、
第１の板部材と第２の板部材とからなる一対の支持部と、
前記第１の板部材の一端にそれぞれ設けられ、互いに対向して突出された爪部とを有し、
前記第２の板部材は、一端が前記開口の側壁に固定され、他端が前記第１の板部材の側面に接続されるとともに、長手方向が前記開口の開口面に沿って延設され、
前記支持部が対向する前記開口の側壁部分が前記ストッパ部となっている
ことを特徴とする配線保持構造。
【請求項２】
前記爪部の端部から前記支持部に沿って傾斜した面を有する傾斜部を備えた
ことを特徴とする請求項１記載の配線保持構造。
【発明の詳細な説明】
【技術分野】
【０００１】
この発明は、配線を挟み込んで保持する配線保持構造に関するものである。
【背景技術】
【０００２】
機器内部に設けられた配線の余長が長い場合、部品と部品の間等に配線を噛み込んでしまい、配線を傷つけてしまったり、破断してしまったりするといった問題がある。そこで、従来では、機器にケーブルクランプをねじ又は粘着テープ等で取り付けて、このケーブルクランプで配線を挟み込ませて保持させている。
【０００３】
しかしながら、上記ケーブルクランプは、機器とは別部品であるため、全体としての部品点数が増えるという課題がある。
それに対し、機器の樹脂製の筐体に、コード結束用フックを一体で形成したものが知られている（例えば特許文献１参照）。これにより、コード結束用フックでコード（配線）を束ねて保持させることができ、また、全体としての部品点数を削減することができる。
【先行技術文献】
【特許文献】
【０００４】
【特許文献１】特開２００６−６６７３６号公報
【発明の概要】
【発明が解決しようとする課題】
【０００５】
上述したように、特許文献１に開示された機器では、樹脂製の筐体にコード結束用フックを設け、このコード結束用フックでコードを束ねて保持させている。しかしながら、樹脂製の筐体は硬質である場合が多い。そのため、硬質の筐体に一体で形成されたコード結束用フックでは、コードを挟み込む際又はコードを取り出す際に、コード結束用フックが折れてしまったり、コードを傷つけてしまったりすることがあるという課題があった。
【０００６】
この発明は、上記のような課題を解決するためになされたもので、配線を挟み込む際又は配線を取り出す際に配線又は配線結束部が破損してしまうことを防止することができる配線保持構造を提供することを目的としている。
【課題を解決するための手段】
【０００７】
この発明に係る配線保持構造は、筐体面に形成された開口に設けられ、配線を挟み込んで保持するクランプ部と、クランプ部が開かれる際に当該クランプ部の根元部分における弾性限界内で当該クランプ部が接触する位置に配置されたストッパ部とを備える。
クランプ部は、第１の板部材と第２の板部材とからなる一対の支持部と、第１の板部材の一端にそれぞれ設けられ、互いに対向して突出された爪部とを有する。第２の板部材は、一端が開口の側壁に固定され、他端が第１の板部材の側面に接続されるとともに、長手方向が開口の開口面に沿って延設され、支持部が対向する開口の側壁部分がストッパ部となっている。
【発明の効果】
【０００８】
この発明によれば、上記のように構成したので、配線を挟み込む際又は配線を取り出す際に配線又は配線結束部（クランプ部）が破損してしまうことを防止することができる。
【図面の簡単な説明】
【０００９】
【図１】この発明の実施の形態１に係る配線保持構造の構成例を示す図である。
【図２】この発明の実施の形態１に係る配線保持構造の別の構成例を示す図である。
【発明を実施するための形態】
【００１０】
以下、この発明の実施の形態について図面を参照しながら詳細に説明する。
実施の形態１．
図１はこの発明の実施の形態１に係る配線保持構造の構成例を示す図である。
配線保持構造は、機器の筐体面１に一体に形成され、機器に用いられる配線（ケーブル、コード等）を保持するものである。なお、筐体は、硬質のモールド樹脂から成るものとする。この配線保持構造は、図１に示すように、クランプ部２及びストッパ部３を有している。
【００１１】
クランプ部２は、筐体面１に一体に形成され、配線を挟み込んで保持するものである。
このクランプ部２には、根元部分２１１が上記筐体面１に連なった一対の支持部２１が設けられている。図１の例では、支持部２１は、上記筐体面１に対して垂直方向に延びて構成されている。また、一対の支持部２１は、対向方向において外側に弾性変形可能に構成されている。また、一対の支持部２１の配置間隔及び長さは、保持対象の配線の径や本数等に応じて適宜設定される。
【００１２】
また、一対の支持部２１の端部には、それぞれ、互いに対向して突出された爪部２２が設けられている。この爪部２２は、一対の支持部２１が外側に弾性変形することで、配線を挿入可能とする隙間を形成し、一対の支持部２１が元に戻ることで、挿入された配線を当該一対の支持部２１と一体となって挟み込むものである。
また図１の例では、クランプ部２に、爪部２２の端部から支持部２１に沿って傾斜した面を有する傾斜部２３が設けられている。
【００１３】
ストッパ部３は、上記筐体面１に一体に形成され、クランプ部２の開方向に対向配置されたものである。このストッパ部３は、クランプ部２が開かれる際に当該クランプ部２の根元部分２１１における弾性限界内で当該クランプ部２が接触する位置に配置されている。このストッパ部３は、対向する支持部２１が接触することで、当該支持部２１の変形量を規制する。
【００１４】
次に、上記のように構成された配線保持構造への配線取付け及び配線取外し動作例について説明する。
配線保持構造に配線を取付ける場合には、作業者は、まず、クランプ部２の爪部２２間を開くように力を加えて支持部２１を外側に弾性変形させる。これにより、爪部２２間に、配線を挿入可能な隙間を得ることができる。そして、対象の配線を爪部２２間からクランプ部２内に挿入する。その後、クランプ部２に加えている力を解除する。これにより、支持部２１が元の状態に戻って爪部２２が閉じる。その結果、クランプ部２は配線を挟み込んで保持する。
また、配線保持構造から配線を取外す場合には、作業者は、上記と反対の動作を行えばよい。
【００１５】
ここで、本発明の配線保持構造では、クランプ部２の爪部２２間を開くように支持部２１を弾性変形させる際に、クランプ部２の根元部分２１１の弾性限界内における規定値以上の力が加わると、支持部２１の接触面２１２が対向するストッパ部３の接触稜線３１に接触する。これにより、支持部２１がそれ以上変形することを規制することができ、クランプ部２が折れたり変形したりすることを防止することができる。
また、これを言い換えると、支持部２１がストッパ部３に接触するまでの範囲内であれば、支持部２１を撓ませてクランプ部２を開くことができる。よって、配線の取付け及び取外しを、破損を気にすることなくスムーズに行うことができる。
【００１６】
なお図１の例では、クランプ部２の接触面２１２とストッパ部３の接触稜線３１が接触する形態を示したが、これに限るものではない。すなわち、クランプ部２及びストッパ部３の形状により、接触面と接触面、接触面と接触点、接触稜線と接触稜線等、接触する形態は様々である。
【００１７】
また図１の例では、クランプ部２に、爪部２２の端部から支持部２１に沿って傾斜した面を有する傾斜部２３を設けている。これにより、クランプ部２から配線を手荒に引き抜いた場合であっても、この傾斜部２３の面に沿って配線が移動するため、配線を傷付け難くすることができる。
【００１８】
以上のように、この実施の形態１によれば、筐体面１に一体に形成され、配線を挟み込んで保持するクランプ部２と、筐体面１に一体に形成され、クランプ部２が開かれる際に当該クランプ部２の根元部分２１１における弾性限界内で当該クランプ部２が接触する位置に配置されたストッパ部３とを備えたので、配線を挟み込む際又は配線を取り出す際に配線又は配線結束部（クランプ部２）が破損してしまうことを防止することができる。
【００１９】
なお上記では、図１に示すように、クランプ部２の支持部２１が筐体面１に対して垂直方向に延びて構成され、また、ストッパ部３が筐体面１から突出して設けられた場合を示した。しかしながら、クランプ部２及びストッパ部３の形状はこれに限るものではなく、クランプ部２が配線を挟み込んで保持可能な構成であり、ストッパ部３が、クランプ部２が開かれる際に当該クランプ部２の根元部分２１１における弾性限界内で当該クランプ部２が接触する位置に配置された構成であればよい。
例えば図２では、筐体面１に開口を設け、この開口に、支持部２１を筐体面１に対して水平方向に延ばして構成している。また、支持部２１と対向する開口の側壁部分をストッパ部３としている。また図２の例では、クランプ部２の接触稜線２１３とストッパ部３の接触面３２が接触する。
【００２０】
また、本願発明はその発明の範囲内において、実施の形態の任意の構成要素の変形、もしくは実施の形態の任意の構成要素の省略が可能である。
【符号の説明】
【００２１】
１  筐体面
２  クランプ部
３  ストッパ部
２１  支持部
２２  爪部
２３  傾斜部
３１  接触稜線
３２  接触面
２１１  根元部分
２１２  接触面
２１３  接触稜線
【図１】
0006641128.tif 000002
【図２】
0006641128.tif 000003